(57)【要約】【課題】パネル固定金具に市販の緩み止め機能付ナットを内蔵することにより、パネルを固定するためのパネル固定用ボルトの緩み止めを行うことができるとともに雌ねじを形成するための機械加工を不要とすることができるパネル固定金具を提供する。【解決手段】基礎上の梁又は支持脚等の固定部に取り付けられ、パネル１をパネル固定用ボルト３とともに固定するためのパネル固定金具１０において、固定部に取り付けられる支持部材１１と、支持部材１１に固定され、パネル固定用ボルト３が螺合される緩み止め機能付ナット１２を収容するとともに緩み止め機能付ナット１２の廻り止めを行うナット収容部材１３と、ナット収容部材１３から緩み止め機能付ナット１２が抜け落ちることを防止するカバー１４とを備えた。【選択図】図２
2008184807.tif 000002
【特許請求の範囲】
【請求項１】
基礎上の梁又は支持脚等の固定部に取り付けられ、パネルをパネル固定用ボルトとともに固定するためのパネル固定金具において、
前記固定部に取り付けられる支持部材と、
前記支持部材に固定され、前記パネル固定用ボルトが螺合される緩み止め機能付ナットを収容するとともに該緩み止め機能付ナットの廻り止めを行うナット収容部材と、
前記ナット収容部材から前記緩み止め機能付ナットが抜け落ちることを防止するカバーとを備えたことを特徴とするパネル固定金具。
【請求項２】
前記緩み止め機能付ナットは市販の六角ナットであることを特徴とする請求項１記載のパネル固定金具。
【請求項３】
前記ナット収容部材は、相隣接する４枚のパネルの各隅部を固定するパネル固定用ボルトと螺合する４個の緩み止め機能付ナットを収容する４個の収容孔を有することを特徴とする請求項１又は２記載のパネル固定金具。
【請求項４】
前記緩み止め機能付ナットを収容するための前記ナット収容部材に形成された収容孔は、対向する平行な２面と、この平行な２面の間を接続する他の２面からなり、この平行な２面は他の２面より長い長孔からなり、
前記対向する平行な２面間の寸法は、前記六角ナットの対向する頂点間の寸法より小さく設定されていることを特徴とする請求項２又は３記載のパネル固定金具。
【請求項５】
前記緩み止め機能付ナットはナット保持板に保持され、このナット保持板は前記ナット収容部材に収容されていることを特徴とする請求項２又は３記載のパネル固定金具。
【請求項６】
前記ナット保持板は矩形状をなし、このナット保持板を収容するための前記ナット収容部材に形成された収容孔も矩形状をなし、この収容孔の対向する平行な２面間の寸法は、前記ナット保持板の対向する頂点間の寸法より小さく設定されていることを特徴とする請求項５記載のパネル固定金具。
【請求項７】
前記支持部材と前記ナット収容部材とは一体の部材からなることを特徴とする請求項１乃至６のいずれか１項に記載のパネル固定金具。
【請求項８】
前記ナット収容部材と前記カバーとは一体の部材からなることを特徴とする請求項１乃至６のいずれか１項に記載のパネル固定金具。
【請求項９】
前記支持部材は前記支持脚に固定するための筒状の固定部又はナットを有することを特徴とする請求項１乃至８のいずれか１項に記載のパネル固定金具。
【発明の詳細な説明】
【技術分野】
【０００１】
本発明はパネル固定金具に係り、特にクリーンルーム、コンピュータルームあるいは放送関係スタジオ等で好適に使用されている組立式の床を構成するためのパネルを固定するパネル固定金具に関する。
【背景技術】
【０００２】
クリーンルームやコンピュータルームにおいては、所定サイズの多数のパネルを敷設して床を形成する組立式の床が広く用いられている。この組立式の床は、各パネルが着脱可能になっているため、床下にフィルタやダクトあるいは各種付属機器を設置しても容易にメンテナンスができるという利点がある。
【０００３】
図１１は組立式の床の一例を示す斜視図である。図１１に示すように基礎５１上には、多数の支持脚５２が固定され、これら支持脚５２上に多数の角パイプ２が支持固定されて格子状の梁が形成されている。角パイプ２上には、パネルを固定するためのパネル固定金具５４が固定されており、これらパネル固定金具５４上にパネル１が敷設される。
図１２は図１１のＡ部詳細を示す平面図である。図１２に示すように、相隣接する４枚のパネル１の各隅部１ｃは、パネル固定用ボルト５７によって１個のパネル固定金具５４に固定されている。
【０００４】
図１３は、図１２に示す状態から、下側にある２枚のパネル１を除去してパネル固定金具５４の下半分を図示した斜視図である。図１４は図１２のＢ−Ｂ線断面図である。図１３および図１４に示すように、パネル固定金具５４は、角パイプ２に接着やボルトによって固定される平板状の支持部５５と、支持部５５から上方に伸びる４つの突出部５６とから構成されている。各突出部５６には、前記パネル固定用ボルト５７を螺じ込むための雌ねじ５６ａが形成されている。なお、図１３においては、パネル固定金具５４の上半分がパネル１によって隠されているため、下側にある２つの突出部５６のみが図示されている。
【０００５】
各パネル１は、４つの隅部１ｃに、パネル固定用ボルト５７の軸部を挿通するための貫通孔１ａとパネル固定用ボルト５７の頭部５７ａを収容するための座ぐり穴１ｈを備えており、パネル１をパネル固定金具５４上に敷設した後に、パネル固定用ボルト５７を貫通孔１ａから挿通した後にパネル固定用ボルト５７のねじ部５７ｓをパネル固定金具５４の雌ねじ５６ａに螺じ込むことにより、パネル１はパネル固定金具５４に固定される。このとき、パネル固定用ボルト５７の頭部５７ａは座ぐり穴１ｈに収容される。
【０００６】
図１１及び図１４においては、支持脚５２上に多数の角パイプ２が支持固定されて格子状の梁を形成し、この梁にパネル固定金具５４を固定した従来の例を示したが、図１５に示すように、梁を形成することなく支持脚５２上に直接にパネル固定金具５４を固定してもよい。すなわち、図１５に示すように、パネル固定金具５４は、平板状の支持部５５と、支持部５５から上方に伸びる４つの突出部５６と、支持部５５から下方に伸びる円筒状の固定部５８とから構成されている。図１５に示すパネル固定金具５４における支持部５５および突出部５６の構造は、図１１乃至図１４に示したパネル固定金具と同様である。パネル固定金具５４を支持脚５２に固定する際には、パネル固定金具５４の円筒状の固定部５８を支持脚５２の上端に嵌合した後に、固定部５８に設けられた止めねじ６０によって支持脚５２を締め付けることによりパネル固定金具５４は支持脚５２に固定される。パネル１をパネル固定金具５４に固定する際には、図１１乃至図１４に示した例と同様に行われる。
【発明の開示】
【発明が解決しようとする課題】
【０００７】
上述した従来のパネル固定具においては、組立式の床を継続的に使用していると、パネル固定用ボルト５７が振動等によって緩むという問題点があった。また、パネル固定金具には、パネル固定用ボルト５７を螺じ込むための雌ねじを形成する必要があり、雌ねじ形成用の機械加工を必要とし、製造コストが上昇するという問題点があった。
【０００８】
本発明は、上述の事情に鑑みなされたもので、パネル固定金具に市販の緩み止め機能付ナットを内蔵することにより、パネルを固定するためのパネル固定用ボルトの緩み止めを行うことができるとともに雌ねじを形成するための機械加工を不要とすることができるパネル固定金具を提供することを目的とする。
【課題を解決するための手段】
【０００９】
上述した目的を達成するため、本発明は、基礎上の梁又は支持脚等の固定部に取り付けられ、パネルをパネル固定用ボルトとともに固定するためのパネル固定金具において、前記固定部に取り付けられる支持部材と、前記支持部材に固定され、前記パネル固定用ボルトが螺合される緩み止め機能付ナットを収容するとともに該緩み止め機能付ナットの廻り止めを行うナット収容部材と、前記ナット収容部材から前記緩み止め機能付ナットが抜け落ちることを防止するカバーとを備えたことを特徴とする。
【００１０】
本発明によれば、基礎上の梁又は支持脚等の固定部にパネル固定金具を取り付け、パネル固定金具上にパネルを載せ、パネル側からパネル固定用ボルトを挿通して該パネル固定用ボルトを緩み止め機能付ナットに螺じ込むことにより、パネルをパネル固定金具に固定することができる。パネル固定用ボルトを緩み止め機能付ナットに螺じ込む際に、該ナットはナット収容部材により廻り止めを行うことができる。
【００１１】
本発明の好ましい態様は、前記緩み止め機能付ナットは市販の六角ナットであることを特徴とする。
本発明によれば、緩み止め機能に優れた緩み止め機能付ナットは、市販品であるため安価に入手できる。
本発明の好ましい態様は、前記ナット収容部材は、相隣接する４枚のパネルの各隅部を固定するパネル固定用ボルトと螺合する４個の緩み止め機能付ナットを収容する４個の収容孔を有することを特徴とする。
本発明によれば、相隣接する４枚のパネルの各隅部を１個のパネル固定金具に固定することができる。
【００１２】
本発明の好ましい態様は、前記緩み止め機能付ナットを収容するための前記ナット収容部材に形成された収容孔は、対向する平行な２面と、この平行な２面の間を接続する他の２面からなり、この平行な２面は他の２面より長い長孔からなり、前記対向する平行な２面間の寸法は、前記六角ナットの対向する頂点間の寸法より小さく設定されていることを特徴とする。
本発明によれば、六角ナットの対向する２つの頂点がナット収容部材に形成された収容孔における対向する平行な２面に当接して、六角ナットの回転が拘束される。
【００１３】
本発明の好ましい態様は、前記緩み止め機能付ナットはナット保持板に保持され、このナット保持板は前記ナット収容部材に収容されていることを特徴とする。
本発明の好ましい態様は、前記ナット保持板は矩形状をなし、このナット保持板を収容するための前記ナット収容部材に形成された収容孔も矩形状をなし、この収容孔の対向する平行な２面間の寸法は、前記ナット保持板の対向する頂点間の寸法より小さく設定されていることを特徴とする。
本発明によれば、緩み止め機能付ナットを保持したナット保持板の対向する２つの頂点がナット収容部材に形成された収容孔における対向する平行な２面に当接して、六角ナットの回転が拘束される。
【００１４】
本発明の好ましい態様は、前記支持部材と前記ナット収容部材とは一体の部材からなることを特徴とする。
本発明によれば、支持部材とナット収容部材とを一体化した部材に緩み止め機能付ナットを収容するための収容孔を形成する。
本発明の好ましい態様は、前記ナット収容部材と前記カバーとは一体の部材からなることを特徴とする。
本発明によれば、ナット収容部材とカバーとを一体化した部材に緩み止め機能付ナットを収容するための収容孔を形成する。
本発明の好ましい態様は、前記支持部材は前記支持脚に固定するための筒状の固定部又はナットを有することを特徴とする。
【発明の効果】
【００１５】
本発明によれば、パネル固定金具に市販の緩み止め機能付ナットを内蔵することにより、パネルを固定するためのパネル固定用ボルトの緩み止めを行うことができるとともに雌ねじを形成するための機械加工を不要とすることができる。
また本発明によれば、緩み止め機能付ナットをナット収容部材の収容孔内で遊びがあるような構成とすることにより、パネルをパネル固定金具上に敷設した後に、パネル固定用ボルトによりパネルをパネル固定金具に対して固定する際に、パネル固定用ボルトをパネル固定金具に内蔵された緩み止め機能付ナットにスムーズに螺じ込むことができる。特に、相隣接する４枚のパネルのうち３枚のパネルの隅部をパネル固定用ボルトにより固定した後に、最後の１枚のパネルの隅部をパネル固定用ボルトにより固定する際などに、緩み止め機能付ナットが収容孔内で遊びがあることにより、パネル固定用ボルトの螺じ込み作業をスムーズに行うことができる。
【発明を実施するための最良の形態】
【００１６】
以下、本発明に係るパネル固定金具の実施の形態を図面を参照として説明する。
図１乃至図６は、本発明のパネル固定金具の第１の実施形態を示す図である。図１は組立式の床の一部を示す平面図であり、図１２に対応する図である。図２は図１のＣ−Ｃ線断面図である。図１に示すように、相隣接する４枚のパネル１の各隅部１ｃは、１個のパネル固定金具１０（破線で示す）に固定されている。図２に示すように、パネル固定金具１０は梁を形成する角パイプ２に固定されている。そして、各パネル１の隅部１ｃはパネル固定用ボルト３によってパネル固定金具１０に固定されている。
【００１７】
各パネル１は、４つの隅部１ｃに、パネル固定用ボルト３の軸部を挿通するための貫通孔１ａとパネル固定用ボルト３の頭部３ａを収容するための座ぐり穴１ｈを備えており、パネル１をパネル固定金具１０上に敷設した後に、パネル固定用ボルト３を貫通孔１ａから挿通した後にパネル固定用ボルト３のねじ部３ｓをパネル固定金具１０の緩み止め機能付ナット１２に螺じ込むことにより、パネル１はパネル固定金具１０に固定される。このとき、パネル固定用ボルト３の頭部３ａは座ぐり穴１ｈに収容される。
【００１８】
本発明に係るパネル固定金具１０は、市販の緩み止め機能付ナットを内蔵することにより、パネルを固定するためのパネル固定用ボルトの緩み止めを行うことができるとともに雌ねじを形成するための機械加工を不要とすることができるパネル固定金具である。図３及び図４はパネル固定金具１０の詳細を示す図であり、図３は、パネル固定金具１０の断面図であり、図４はパネル固定金具１０の斜視図である。図３および図４に示すように、パネル固定金具１０は、固定部を構成する角パイプ２に接着やボルトによって取り付けられる平板状の支持部材１１と、支持部材１１に固定される部材であって４個の緩み止め機能付ナット１２を収容するとともに緩み止め機能付ナット１２の回転を拘束するナット収容部材１３と、ナット収容部材１３に収容された緩み止め機能付ナット１２が抜け落ちることを防止するカバー１４とから構成されている。支持部材１１とナット収容部材１３とカバー１４とは、ナット収容部材１３に４個の緩み止め機能付ナット１２を収容した後に、プロジェクション溶接やかしめにより一体化されている。
【００１９】
ナット収容部材１３は、緩み止め機能付ナット１２を収容するとともに緩み止め機能付ナット１２の回転を拘束するための緩み止め機能付ナット１２より大きい寸法（サイズ）の４個の収容孔１３ｈを有している。またカバー１４は緩み止め機能付ナット１２を覆うために上方に膨らんだ４個の膨出部１４ａを有しており、膨出部１４ａにはパネル固定用ボルト３を挿通するための開口１４ｂが形成されている。またカバー１４には、パネル１をパネル固定用金具１０上に敷設する際にパネル１の横ずれを防止するための４個の切り起こし部１４ｃが形成されている。これら４個の切り起こし部１４ｃは、相隣接する４枚のパネル１をパネル固定金具１０上に敷設する際に、案内部材としての機能を果たすことになる。そして、床が組み立てられた際には、図２に示すように、各切り起こし部１４ｃは、隣接して敷設された２つのパネル１の壁の間に位置して位置決め部材としての機能を果たすことになる。なお、支持部材１１には、パネル固定用ボルト３の先端部を収容するためのばか穴１１ｈが形成されている。またカバー１４の上面にはパネル１を受けるためのクッション材としての薄いゴム板１５が貼設されている。なお、図２および図３においては、樹脂材からなる緩み止め機構１２ａを内蔵した緩み止め機能付ナット１２が示されている。緩み止め機構は金属性のフリクションリングであってもよいし、他の緩み止め機構であってもよい。
【００２０】
図５はパネル固定金具１０の要部を示す図であり、緩み止め機能付ナット１２のナット収容部材１３への収容状態を示す平面図である。なお、図５においては、ナット収容部材１３の下半分の収容孔１３ｈのみに緩み止め機能付ナット１２が収容されている状態を示している。図５に示すように、ナット収容部材１３に形成された４個の収容孔１３ｈは、緩み止め機能付ナット１２の外形寸法より大きい寸法（サイズ）の長穴になっている。すなわち、各収容孔１３ｈは、対向する平行な２つの平面ａ，ａと、対向する２つの半円弧状の曲面ｂ，ｂとから構成されている。一方、収容孔１３ｈ内に収容される緩み止め機能付ナット１２は緩み止め機能付の六角ナットから構成されており、この緩み止め機能付ナット１２は市販で汎用されている規格品であり、その外形寸法は規格（ＪＩＳ，ＩＳＯ）によって定まっている。
【００２１】
図６は図５のＤ部の拡大図である。図６に示すように、収容孔１３ｈの対向する２つの平面ａ，ａ間の寸法Ｌ１を六角ナットの対向する頂点間の寸法Ｌ２よりやや小さく設定する（Ｌ１＜Ｌ２）ことにより、緩み止め機能付ナット１２の回転を拘束することができる。すなわち、対向する２つの平面ａ，ａにより緩み止め機能付ナット１２の廻り止めを行うことができる。また、緩み止め機能付ナット１２の外形寸法と収容孔１３ｈの穴寸法との間にはクリアランスがあるため、緩み止め機能付ナット１２は、収容孔１３ｈ内で長手方向（Ｄｌｏｎｇ）には自由に動くことができ、短手方向（Ｄｓｈｏｒｔ）には少し動くことができる。なお、長手方向（Ｄｌｏｎｇ）の寸法（対向する曲面ｂ，ｂ間の寸法）は、緩み止め機能付ナット１２の廻り止めに関係しないので、自由な寸法にすることができる。そして、長手方向（Ｄｌｏｎｇ）はナット収容部材１３の中心（Ｏ）に向かっている（図５参照）。
【００２２】
このように、緩み止め機能付ナット１２を収容孔１３ｈ内で遊びがあるような構成とすることにより、パネル１をパネル固定金具１０上に敷設した後に、パネル固定用ボルト３によりパネル１をパネル固定金具１０に対して固定する際に、パネル固定用ボルト３をパネル固定金具１０に内蔵された緩み止め機能付ナット１２にスムーズに螺じ込むことができる。特に、相隣接する４枚のパネル１のうち３枚のパネル１の隅部１ｃをパネル固定用ボルト３により固定した後に、最後の１枚のパネル１の隅部１ｃをパネル固定用ボルト３により固定する際などに、緩み止め機能付ナット１２が収容孔１３ｈ内で遊びがあることにより、パネル固定用ボルト３の螺じ込み作業をスムーズに行うことができる。
以上のように、本実施形態によれば、市販品の緩み止め機能付ナット１２を内蔵したパネル固定金具１０とすることにより、パネル１を固定するためのパネル固定用ボルト３の緩み止めを行うことができるとともに雌ねじを形成するための機械加工を不要とすることができる。
【００２３】
図７乃至図９は、本発明のパネル固定金具の第２の実施形態を示す図であり、図７はパネル固定金具１０の断面図であって図２に対応する図であり、図８はパネル固定金具１０の要部を示す図であって緩み止め機能付ナット１２のナット収容部材１３への収容状態を示す平面図である。なお、図８においては、ナット収容部材１３の下半分の収容孔１３ｈのみに緩み止め機能付ナット１２が収容されている状態を示している。図７及び図８に示すように、各緩み止め機能付ナット１２は矩形状のナット保持板２０に保持され、緩み止め機能付ナット１２を保持したナット保持板２０はナット収容部材１３の収容孔１３ｈ内に収容されている。
【００２４】
図９は図８のＥ部拡大図である。図９に示すように、ナット保持板２０は緩み止め機能付ナット１２を嵌め込むための六角形の嵌合孔２０ａを有しており、この嵌合孔２０ａは緩み止め機能付ナット１２が隙間なく嵌まり込むように緩み止め機能付ナット１２の外形寸法と略同一又はわずかに大きい寸法の穴になっている。
【００２５】
また、緩み止め機能付ナット１２を保持したナット保持板２０を収容するために、ナット収容部材１３には、矩形状の４個の収容孔１３ｈが形成されている。収容孔１３ｈは、ナット保持板２０の外形寸法より大きな寸法の矩形状の穴になっている。このように緩み止め機能付ナット１２を保持したナット保持板２０を収容孔１３ｈ内で遊びがあるような構成とすることにより、パネル１をパネル固定金具１０上に敷設した後に、パネル固定用ボルト３によりパネル１をパネル固定金具１０に対して固定する際に、パネル固定用ボルト３をパネル固定金具１０に内蔵された緩み止め機能付ナット１２にスムーズに螺じ込むことができる。
【００２６】
以上のように、本実施形態によれば、市販品である緩み止め機能付ナット１２を内蔵したパネル固定金具１０とすることにより、パネル１を固定するためのパネル固定用ボルト３の緩み止めを行うことができるとともに雌ねじを形成するための機械加工を不要とすることができる。また本実施形態によれば、緩み止め機能付ナット１２を保持したナット保持板２０の対向する２つの角部が収容孔１３ｈの内壁面に当接して緩み止め機能付ナット１２の廻り止めがなされる。
【００２７】
図１０は、図１乃至図９に示したパネル固定金具１０に、支持部材１１から下方に伸びる円筒状の固定部２１を設けた実施形態を示す斜視図である。図１０に示すパネル固定金具１０は、図１５に示すように、支持脚５２上に直接固定される。パネル固定金具１０を支持脚５２に固定する際には、パネル固定金具１０の円筒状の固定部２１を支持脚５２の上端に嵌合した後に、固定部２１に設けられた止めねじ２２によって支持脚５２を締め付けることによりパネル固定金具１０は支持脚５２に固定される。パネル１をパネル固定金具１０に固定する際には、図１乃至図９に示した実施形態と同様に行われる。なお、パネル固定金具１０の円筒状の固定部２１を六角ナット等のナットに代えて、このナットを支持脚５２の上端の雄ねじに締め込み、その後に止めねじ２２を締め付けるようにすることもできる。
【００２８】
図１乃至図１０に示す実施形態においては、支持部材１１とナット収容部材１３とを別部材で構成するとともにナット収容部材１３とカバー１４とを別部材で構成したが、支持部材１１とナット収容部材１３とを１個の部材で構成してもよいし、ナット収容部材１３とカバー１４とを１個の部材で構成してもよい。すなわち、支持部材１１とナット収容部材１３とを一体化した部材に緩み止め機能付ナット１２を収容するための収容孔を形成してもよい。あるいは、ナット収容部材１３とカバー１４とを一体化した部材に緩み止め機能付ナット１２を収容するための収容孔を形成してもよい。
【００２９】
これまで本発明について、図１乃至図１０に示す実施形態を説明したが、本発明は上述の実施形態に限定されず、その技術的思想の範囲内において種々異なる形態にて実施されてよいことは言うまでもない。
【図面の簡単な説明】
【００３０】
【図１】組立式の床の一部を示す平面図であり、図１２に対応する図である。
【図２】図１のＣ−Ｃ線断面図である。
【図３】本発明のパネル固定金具の断面図である。
【図４】本発明のパネル固定金具の斜視図である。
【図５】本発明のパネル固定金具の要部を示す図であり、緩み止め機能付ナットのナット収容部材への収容状態を示す平面図である。
【図６】図５のＤ部の拡大図である。
【図７】本発明のパネル固定金具の断面図であって図２に対応する図である。
【図８】本発明のパネル固定金具の要部を示す図であって緩み止め機能付ナットのナット収容部材への収容状態を示す平面図である。
【図９】図８のＥ部拡大図である。
【図１０】図１乃至図９に示したパネル固定金具に、支持部材から下方に伸びる円筒状の固定部を設けた実施形態を示す斜視図である。
【図１１】組立式の床の一例を示す斜視図である。
【図１２】図１１のＡ部詳細を示す平面図である。
【図１３】図１２に示す状態から、下側にある２枚のパネルを除去してパネル固定金具の下半分を図示した斜視図である。
【図１４】図１４は図１２のＢ−Ｂ線断面図である。
【図１５】梁を形成することなく支持脚に直接にパネル固定金具を固定した状態を示す斜視図である。
【符号の説明】
【００３１】
１      パネル
１ｃ    隅部
１ｈ    座ぐり穴
２      角パイプ
３，５７    パネル固定用ボルト
３ａ，５７ａ    頭部
３ｓ，５７ｓ    ねじ部
１０，５４    パネル固定金具
１１      支持部材
１２      緩み止め機能付ナット
１３      ナット収容部材
１３ｈ    収容孔
１４      カバー
１４ａ    膨出部
１４ｂ    開口
１４ｃ    切り起こし部
１５      ゴム板
２０      ナット保持板
２０ａ    嵌合孔
２１，５８    固定部
２２，６０    止めねじ
５１      基礎
５２      支持脚
５５      支持部
５６      突出部
５６ａ    雌ねじ
【図１】
2008184807.tif 000003
【図２】
2008184807.tif 000004
【図３】
2008184807.tif 000005
【図４】
2008184807.tif 000006
【図５】
2008184807.tif 000007
【図６】
2008184807.tif 000008
【図７】
2008184807.tif 000009
【図８】
2008184807.tif 000010
【図９】
2008184807.tif 000011
【図１０】
2008184807.tif 000012
【図１１】
2008184807.tif 000013
【図１２】
2008184807.tif 000014
【図１３】
2008184807.tif 000015
【図１４】
2008184807.tif 000016
【図１５】
2008184807.tif 000017